(57)【特許請求の範囲】
【請求項１】
吹き卸し後の高炉の炉体を、その炉底部に残存する残銑凝固物より高い位置で水平に切断し、この切断位置より上方の上部炉体を炉体支柱に設置した昇降手段を用いて懸架し、前記切断位置より下方にある下部炉体の少なくとも一部を全周にわたり撤去した後、前記残銑凝固物を炉外に搬出する高炉炉底部の解体方法において、前記残銑凝固物を炉外に搬出する前に、前記残銑凝固物の周辺部に沿い、かつ該残銑凝固物と炉底耐火物との間の複数箇所に空洞を堀り、該空洞部に配設したジャッキで前記残銑凝固物を持ち上げ該残銑凝固物と炉底耐火物との間に間隙を形成する段階と、該間隙に吊バンドを差し渡した後、前記炉体支柱に懸架した上部炉体を前記昇降手段を用いて下降させ、前記上部炉体の下端部に固定した吊具に前記吊バンドの両端部を接続する段階と、前記炉体支柱に懸架した上部炉体を前記残銑凝固物と共に前記昇降手段を用いて吊り上げ、前記残銑凝固物と炉底耐火物との間に作業空間を形成する段階と、該炉底耐火物上に水平移動台を引き込み配置する段階と、前記炉体支柱に懸架した上部炉体に吊具および吊バンドを介して懸架された前記残銑凝固物を前記昇降手段を用いて下降して前記水平移動台上に載置する段階と、前記上部炉体の下端部に固定した吊具を切り離した後、前記残銑凝固物を載置した前記水平移動台を炉内から炉外に移動させることを特徴とする高炉炉底部の解体方法。
【請求項２】
前記吊具は上部炉体の羽口に固定されることを特徴とする請求項１記載の高炉炉底部の解体方法。
【請求項３】
前記残銑凝固物と前記炉底耐火物の間に形成した作業空間下で前記炉底耐火物の表面を平坦に補修し、該補修した炉底耐火物上に複数の台車用レールを敷設した後、該台車用レール上に水平移動台を引き込み配置することを特徴とする請求項１または２記載の高炉炉底部の解体方法。
【請求項４】
前記炉底耐火物上に引き込み配置する水平移動台として、ローラを介して移動する水平移動台車またはレール上を摺動する水平移動スライド台を使用することを特徴とする請求項１、２または３記載の高炉炉底部の解体方法。
【発明の詳細な説明】
【０００１】
【発明の属する技術分野】
本発明は、高炉炉底部の解体方法に係り、さらに詳しくは高炉を改修するため吹き卸し後、その炉底部に残存する残銑凝固物を分割することなく炉外に搬出することのできる高炉炉底部の解体方法に関するものである。
【０００２】
【従来の技術】
高炉の操業を長期間行うと、内部に設けられた煉瓦の浸食が著しく進行する。これを放置すると、高炉の上部では、耐圧容器として外周に設けられている鉄皮に亀裂が入ってガス等が噴出し、また、高炉の下部では、炉底のカーボン煉瓦が浸食され溶解物が鉄皮を溶損して流出する事故等を生じた時、ステーブ冷却水や鉄皮冷却水による水蒸気爆発を起こすこともある。このため、十数年に一度に高炉を吹き却して内部の改修を行っている。
【０００３】
高炉の改修に際しては、まず高炉炉体の炉底部を囲む外周壁の一部の鉄皮や内張りれんがをバックホー、ショベル等の建設重機で破壊して開口を設け、建設重機を炉底部内に導入する。そして、炉底部に残存しているコークスを建設重機で炉外に押し出して、除去する。その後、作業者が炉内に入り、削岩機や発破を用いて、その下に残っている銑鉄を主としてスラグあるいはコークスの混合した残銑凝固物（一枚岩のように一体化していることが多い）を砕き、炉外に搬出する必要がある。
【０００４】
残銑凝固物は崩壊性凝固物等と異なり、強固で分解することが難しく、爆破による分割作業が行われる。この爆破に先立ち、まず残銑凝固物本体に穿孔ドリルまたは酸素ランスで多数の穿孔を設け、そこにダイナマイトを詰める作業をする必要があった。このような穿孔、発破、分割する方法では、穿孔作業に長時間を要するため、工事期間が長くかかり、発破作業が他の解体作業を阻害する。また、爆発時に破砕物が飛散し危険で、騒音が著しいことから高炉周辺での作業中断を余儀なくされていた。
【０００５】
ところで、高炉の改修工事は、工事期間をできるかぎり短縮する必要があるため、炉体内の内張りれんがや残銑凝固物が完全に室温に冷却される前に、解体作業が開始され、その作業環境は、炉底部の開口と炉頂部のマンホール程度しかない場所で、かつ、粉塵の発生が多く悪環境である。また、炉壁れんがや残銑凝固物は固くて重いので開口から搬出するには、それらを小さく分割する必要がある。そのため、従来の解体作業に要する時間は非常に長く、高コスト作業となっていた。
【０００６】
また、炉体支柱にメンテナンス用に設置してあるアウトリガークレーンを使用することも知られており、高炉炉底部の鉄皮を重量５〜５０ｔ  の短冊状に切断して、アウトリガークレーンで撤去すると共に、高炉の炉底部側壁に設けた開口部から高炉内に存在する残銑凝固物を炉外に除去していた。さらに、例えば、特開平１０−９６００５号公報および特開平７−１９７１１２号公報に、高炉内部の改修を行う方法が開示されている。
【０００７】
特開平１０−９６００５号公報に記載された高炉炉底部の解体方法では、高炉の下部を切断し、高炉炉体を高炉支柱で懸架、固定した後に、高炉の下部の鉄皮を解体し、高炉内の残銑凝固物をワイヤ・ソーで水平に切断し、残銑凝固物を一体として水平に引き出していた。一方、特開平７−１９７１１２号公報に記載された高炉炉底の残銑凝固物の炉外搬出方法では、高炉内における周辺部の残銑凝固物と炉底耐火物の間にジャッキを設置して垂直方向に持ち上げた後、円筒状または摩擦係数の軽減物を挿入して残銑凝固物を水平方向に引き出すものであった。
【０００８】
【発明が解決しようとする課題】
しかしながら、前記従来の高炉炉底部の解体方法は、以下の問題があった。
（１）  アウトリガークレーンを使用した方法では、アウトリガークレーンの吊り上げ能力が７０〜２００ｔ程度であるのに対し、高炉内の残銑凝固物には５００ｔ程度の重量を有する大型残銑凝固物もあるため残銑凝固物を２００ｔ以下の重量に分割する必要があった。また、高炉上部の解体作業と下部の残銑凝固物の除去作業が並行して行われるので、安全性を確保するため羽口部に安全天井が設置されており、これを除去後に再度設置する工程が必要となり、工期がかかっていた。
【０００９】
（２）  特開平１０−９６００５号公報に記載された高炉炉底部の解体方法は、まず、れんが層の切断作業に長時間を必要とし、かつ残銑凝固物を水平方向に引き出すには、れんが切断粉の助けをかりても引き出し力として大きなものが必要で、引き出せる残銑凝固物量に制約があった。
（３）  特開平７−１９７１１２号公報に記載された高炉内の残銑凝固物の炉外搬出方法も残銑凝固物を水平に引き出すものであるが、摩擦係数軽減物を利用しても前記（２）  と同様に、引き出せる残銑凝固物量に制約があった。また、前記（２）  、（３）  においては、高炉炉体の外周に炉体支持用支柱があり、残銑凝固物を引き出す際に該支柱と干渉しないように引き出し方向を正確に導くことが必要であり、これも作業時間の延長につながっていた。
【００１０】
以上のように、アウトリガークレーンを使用した方法では、作業期間が長期間かかっており、これを特開平１０−９６００５号公報および特開平７−１９７１１２号公報に記載された方法によって短縮することができたが、まだ作業内容等に改良の余地があった。
本発明はこのような事情を考慮してなされたもので、高炉改修時における高炉の炉体冷却段階の早期に炉底部に残存する残銑凝固物を経済的に、かつ、短時間で撤去する高炉炉底部の解体方法を提供することを目的とするものである。
【００１１】
【課題を解決するための手段】
前記目的を達成するための請求項１記載の本発明は、吹き卸し後の高炉の炉体を、その炉底部に残存する残銑凝固物より高い位置で水平に切断し、この切断位置より上方の上部炉体を炉体支柱に設置した昇降手段を用いて懸架し、前記切断位置より下方にある下部炉体の少なくとも一部を全周にわたり撤去した後、前記残銑凝固物を炉外に搬出する高炉炉底部の解体方法において、前記残銑凝固物を炉外に搬出する前に、前記残銑凝固物の周辺部に沿い、かつ該残銑凝固物と炉底耐火物との間の複数箇所に空洞を堀り、該空洞部に配設したジャッキで前記残銑凝固物を持ち上げ該残銑凝固物と炉底耐火物との間に間隙を形成する段階と、該間隙に吊バンドを差し渡した後、前記炉体支柱に懸架した上部炉体を前記昇降手段を用いて下降させ、前記上部炉体の下端部に固定した吊具に前記吊バンドの両端部を接続する段階と、前記炉体支柱に懸架した上部炉体を前記残銑凝固物と共に前記昇降手段を用いて吊り上げ、前記残銑凝固物と炉底耐火物との間に作業空間を形成する段階と、該炉底耐火物上に水平移動台を引き込み配置する段階と、前記炉体支柱に懸架した上部炉体に吊具および吊バンドを介して懸架された前記残銑凝固物を前記昇降手段を用いて下降して前記水平移動台上に載置する段階と、前記上部炉体の下端部に固定した吊具を切り離した後、前記残銑凝固物を載置した前記水平移動台を炉内から炉外に移動させることを特徴とする高炉炉底部の解体方法である。
【００１２】
請求項２記載の本発明は、前記吊具は上部炉体の羽口に固定されることを特徴とする請求項１記載の高炉炉底部の解体方法である。
請求項３記載の本発明は、前記残銑凝固物と前記炉底耐火物の間に形成した作業空間下で前記炉底耐火物の表面を平坦に補修し、該補修した炉底耐火物上に複数の台車用レールを敷設した後、該台車用レール上に水平移動台を引き込み配置することを特徴とする請求項１または２記載の高炉炉底部の解体方法である。
【００１３】
請求項４記載の本発明は、前記炉底耐火物上に引き込み配置する水平移動台として、ローラを介して移動する水平移動台車またはレール上を摺動する水平移動スライド台を使用することを特徴とする請求項１、２または３記載の高炉炉底部の解体方法である。
【００１４】
【発明の実施の形態】
本発明に係る高炉炉底部の解体方法をその手順にしたがって説明する。
図１に示すように、高炉１０は外部が鉄皮で覆われており、鉄皮の内側には冷却用のステーブが取り付けられ、さらにステーブの内側には耐火レンガ等からなるれんが層を設けた構造になっている。高炉１０は下部から炉底部１１、朝顔部１２、炉胸部１３、炉口部１４の順に設置され、各部の接続部分は溶接により固着されている。高炉１０の外側には、補修等のため炉体支柱１５が組み立てられており、炉体支柱１５の上部には昇降手段の一例であるリフトジャッキ１６が複数基設置してある。
【００１５】
吹き卸された高炉１０の炉底部最下部には炉底れんが（通常、カーボンれんがを使用）１７があり、炉底れんが１７の上には銑鉄にスラグやコークスが混合、凝固して一体化した残銑凝固物１９があり、その上にはコークス、スラグ等の混合物からなる溶融凝固した崩壊物１８がある。炉底れんが１７の補修を行うためには、崩壊物１８および残銑凝固物１９を撤去する必要がある。なお、本実施の形態では崩壊物１８を予めブルドーザ等の建設重機を用いて撤去した後、残銑凝固物１９のみを吊り上げて炉底部から除去する場合について説明する。
【００１６】
吹き卸し後の高炉１０の炉体部を解体するときには、まず、炉体支柱１５に設置しておいたリフトジャッキ１６から昇降自在に垂下されたロッド２０の先端部を炉口部１４に固定して高炉１０を支持しておく。次に、炉底部１１の鉄皮を水平に切断し、切断位置Ａより下方にある下部炉体２の外周部分を炉外に撤去する。切断する高さは、少なくとも炉底部１１に残存する残銑凝固物１９より高い位置で行う。高炉１０の下部炉体２の鉄皮を除去すると、鉄皮の切断位置Ａより上方にある上部炉体１は炉体支柱１５に設置しておいたリフトジャッキ１６によって懸架される。
【００１７】
図２に示すように、下部の鉄皮を除去することによって開放された高炉１０の内部にあるれんがを図示しない建設重機で破壊し、炉底れんが１７上の炉内残留物のうち、コークス、スラグなど容易に崩すことができる崩壊物１８等は、リフトジャッキ１６を操作して上部炉体１を上昇させ、建設重機で炉体基礎の外へ排出する。炉内残留物のうち、容易に崩すことができない残銑凝固物１９が残存するが、この重量は通常３００  〜５００ｔであるが、寿命の長かった高炉では炉底れんが１７の浸食領域が出銑口より下方に広がり、その浸食領域に存在する残銑凝固物１９の一部は高炉操業中にも冷却により凝固しており、炉底れんが１７の代替状態で存在する。
【００１８】
そのため、残銑凝固物１９が大きくなり、直径がほぼ炉床径に近く、５０００ｍ３クラスの高炉では容積２５０ｍ３  程度で、重量が１３００ｔ  にも達する大塊を炉内から水平方向に引き出すことが必要になる。この残銑凝固物１９は建設重機によって崩壊することは困難であり、ダイナマイトを用いて発破により破壊させるしかないが、この発破作業には長時間を要するのは前述の通りである。
【００１９】
ここで、高炉１０の重量とリフトジャッキ１６の吊り上げ能力の関係について説明する。リフトジャッキ１６は、新しい炉体の据え付けにおいて、リング状に形成され、炉体冷却装置等を事前に取り付けられた上下方向に複数（例えば４個）に分割された鉄皮を炉体支柱１５  内で組み立てる場合にも用いられる。例えば、内容積が約５０００ｍ２（出銑量日産１００００ｔ）の高炉１０の据え付け鉄皮の総重量（内部のれんがを除く）は、約５５００ｔ  であり、高炉１０の改修に使用するリフトジャッキ１６はこれに見合った約２００ｔ／  台×３０台＝約６０００ｔ  の吊り上げ能力を有している。一方、高炉解体時に高炉１０の炉体下部を切断して炉体上部１のみをリフトジャッキ１６により支持するときの重量は３０００〜４０００ｔ  になるのでリフトジャッキ１６は約２０００〜３０００ｔ  の余力を有していることになる。
【００２０】
本発明者らは、このリフトジャッキ１６の余力に着目し、高炉１０を解体するときにリフトジャッキ１６で残銑凝固物１９を昇降させる方法を開発した。
図３に示すように、残銑凝固物１９は炉底れんが１７の上に存在する。崩壊物１８を除去した後、図４に示すように、炉底れんが１７の表面から残銑凝固物１９の周辺部の複数箇所に空洞２１を掘り、空洞２１の箇所で残銑凝固物１９と炉底れんが１７との間に持上ジャッキ２２を設置する。この空洞２１部分は、例えばショベルカー等で容易に掘ることができる。次いで、図５に示すように、持上ジャッキ２２により残銑凝固物１９を矢印方向にジャッキアップする。このようなショベルカー等による空洞２１の掘削や、持上ジャッキ２２による残銑凝固物１９のジャッキアップは残銑凝固物１９の温度を常温まで冷却しなくてもよく、その温度が３００  ℃程度あっても作業可能であり、残銑凝固物１９の除去作業を早目に開始できる。
【００２１】
続いて、図６の（Ａ）  および（Ｂ）  に示すように、懸架された炉体上部の下端部に配設された羽口２３に鉄皮側吊具２４を固定する一方、残銑凝固物１９と炉底れんが１７との間に鉄板で作った残銑吊バンド２５（幅１２００ｍｍ、厚み５０ｍｍ程度）を矢印で示す水平方向に差し渡す。図７に示すように、懸架された高炉１０の炉体上部１をリフトジャッキ１６で下降させた後、鉄皮側吊具２４に残銑吊バンド２５を連結する。次に、図８に示すように、炉体上部１をリフトジャッキ１６で上昇させ、鉄皮側吊具２４と残銑吊バンド２５を介して残銑凝固物１９を吊り上げ、炉底れんが１７の上に作業空間を形成する。
【００２２】
図９、図１０に示すように炉底れんが１７の表面を凹凸のない平坦な表面に補修した後、図１１に示すように、炉底れんが１７の表面に複数本の水平移動台の走行用である炉内台車用レール２８を並行に敷設する。図１２に示すように、水平移動台２９はウインチ等を用いて炉内台車用レール２８上に簡単に取り込むことができる。水平移動台２９は、例えば、図１３〜図１５に示すように、その下部に移動用ローラ３０およびガイドローラ３１を備えた台車とすることができる。水平移動台２９の下面には、下向きに一対の支持フレーム３７を設け、これら支持フレーム３７の間にエンドレスチェン３８で連結した多数の移動用ローラ３０を備え、支持フレームの外面側にガイドローラ３１を配設したローラ構造体３９を設ける。ローラ構造体３９は市販のものを使用し、水平移動台２９の下部に間隔を置いて例えば４列取り付けてあり、溝型の炉内台車用レール２８に沿って移動するようになっている。
【００２３】
なお、炉内台車用レール28は炉底れんが17の表面を凹凸のない平坦面にした後に敷設されるので大きな荷重を受けることができ、炉底れんが17に部分的凹面があったときはモルタルで充填して平滑化してもよい。
また、水平移動台29は、図16に示すように、その下部にスライドシュー40を配設し、スライドシュー40を溝型の炉内台車用レール28に沿って摺動させるスライド台としてもよい。スライドシュー40の下面にテフロン（デュポン社の登録商標）41を張りつけ、また炉内台車用レール28の溝部の上面にステンレススチール板(SUS板)42 を取り付けて摩擦係数を小さくする。あるいは、図17に示すように、炉底れんが17の上に設けた底板43の上にレベル調整ライナー44を介してＩ型レール45を敷設し、この上を車輪を備えた台車を移動させるか、もしくは、Ｉ型レール45の上にスライド台を載せ、潤滑油を用いて滑らせるようにしてもよい。水平移動台車29は、台車タイプあるいはスライド台タイプのいずれでもよいが、高炉改修頻度が極めて少ないので、低コストで摩擦係数を小さくでき、かつ作業性のよい水平移動台29の移動構造とするのが肝要である。
【００２４】
さて、図１８に示すように、高炉１０の炉体上部１をリフトジャッキ１６で下降させ、鉄皮側吊具２４と残銑吊バンド２５を介して支持されていた残銑凝固物１９を水平移動台２９に載せる。鉄皮側吊具２４を羽口２３から切り離した後、図１９に示すように、高炉１０の炉体上部１をリフトジャッキ１６で上昇して上方に退避させる。残銑凝固物１９を支持するのに使用した鉄皮側吊具２４と残銑吊バンド２５は、水平移動台２９上に載せたままとする。炉内台車用レール２８に接続して炉外台車用レール３２がレベリングブロック４６上に配備されており、残銑凝固物１９を載せた水平移動台２９を、積荷レベル調整架構３３をセットした炉体用輸送台車３４の方に移動可能としている。
【００２５】
図２０に示すように、炉外台車用レール３２近傍に配備したセンターホールジャッキ３５を１ストローク操作する毎に固定位置を前方に変更しながら残銑凝固物１９を載せた水平移動台２９を尺取り虫のように炉内台車用レール２８から炉外台車用レール３２上に移動させて炉内から炉外へ引き出す。次に、炉体用輸送台車３４上にセットしたセンターホルジャッキ３６を操作して、図２１に示すように、炉体用輸送台車３４が備えた積荷レベル調整架構３３上に配備したセンターホールジャッキ３５を操作してレベリングブロック４６を炉体用輸送台車３４上に移動させ、これによってレベリングブロック４６に敷設した炉外台車用レール３２上の水平移動台２９と共に残銑凝固物１９を炉体用輸送台車３４の積荷レベル調整架構３３に載せる。引続き炉体用輸送台車３４を残銑凝固物置場まで移動させ、一連の高炉炉底部の解体作業を終了する。
【００２６】
【発明の効果】
以上、説明したように本発明によれば、残銑凝固物を高炉を支持している昇降手段によって昇降するので、残銑凝固物の昇降手段を別に用意しなくてもよく経済的である。上部炉体の下端部に固定した鉄皮側吊具に接続した残銑吊バンドで重量物である残銑凝固物を一体化した状態で吊り上げるので、かなりの高温状態で早期にその昇降作業および炉内から炉外への移動作業を、迅速に行うことが可能となり、高炉炉底部の解体作業の時間短縮が達成される。
【図面の簡単な説明】
【図１】本発明に係る高炉炉底部の解体方法に適用される高炉の正面図である。
【図２】本発明に係る高炉炉底部の鉄皮を除去したときの炉底部内状況を示す正面図である。
【図３】本発明に係る高炉炉底部の鉄皮を除去したときの炉底部内の残銑凝固物状況を示す正面図である。
【図４】本発明に係る高炉炉底部の鉄皮を除去して炉底部内の残銑凝固物の周辺部に掘削した複数の空洞に持上ジャッキを配置した状況を示す平面図である。
【図５】本発明に係る炉底部内の残銑凝固物を持上ジャッキにより持ち上げた状況を示す正面図である。
【図６】（Ａ）  本発明に係る持上ジャッキにより持ち上げた残銑凝固物と炉底れんがとの間に残銑吊バンドを差し渡した状況を示す正面図であり、（Ｂ）  羽口に鉄皮側吊具を取り付ける状況を示す部分拡大正面図である。
【図７】本発明に係る懸架された炉体上部を下降させて、羽口に固定した鉄皮側吊具に残銑吊バンドを連結した状況を示す正面図である。
【図８】本発明に係る炉体上部をリフトジャッキで上昇させ、鉄皮側吊具と残銑吊バンドを介して残銑凝固物を吊り上げ、炉底れんがの上に作業空間を形成する状況を示す正面図である。
【図９】本発明に係る炉底れんがの表層部を建設重機で整備する状況を示す正面図である。
【図１０】本発明に係る炉底れんがの表層部を凹凸のない平坦な表面に補修した状況を示す正面図である。
【図１１】本発明に係る炉底れんがの表面に炉内台車用レールを敷設する状況を示す正面図である。
【図１２】本発明に係る水平移動台を炉内台車用レール上に取り込んだ状況を示す正面図である。
【図１３】本発明に係る水平移動台の下部に設けたローラ構造体を溝型の炉内台車用レールに対応させて配設した状況を示す側面図である。
【図１４】本発明に係る水平移動台の下部に設けた移動用ローラおよびガイドローラからなるローラ構造体を溝型の炉内台車用レールに対応させて配設した状況を示す側面図である。
【図１５】本発明に係るエンドレスチェンで連結した多数の移動用ローラを内部に備え、外部にガイドローラを配設したローラ構造体を示す正面図である。
【図１６】本発明に係る水平移動台の下面に配設したスライドシューを溝型レールに対応して配設したスライド構造を示す側面図である。
【図１７】本発明に係る高炉の炉底れんがの上に敷設したＩ型レールを示す側面図である。
【図１８】本発明に係る炉体上部をリフトジャッキで下降させ、残銑吊バンドを介して支持された残銑凝固物を水平移動台に載せる状況を示す正面図である。
【図１９】本発明に係る炉体上部をリフトジャッキで上昇して退避させる一方、残銑凝固物を載せた水平移動台を、炉体用輸送台車の方に移動させる状況を示す正面図である。
【図２０】本発明に係る炉外台車用レール近傍に配備したセンターホールジャッキを操作して残銑凝固物を載せた水平移動台を炉外台車用レール上まで移動させる状況を示す正面図である。
【図２１】本発明に係る残銑凝固物を載せた水平移動台を炉外台車用レールを経由して炉体用輸送台車をセットした積荷レベル調整架構上に載せる状況を示す正面図である。
【符号の説明】
１  上部炉体
２  下部炉体
１０  高炉
１１    炉底部
１２  朝顔部
１３  炉胸部
１４  炉口部
１５  炉体支柱
１６  リフトジャッキ
１７  炉底れんが
１８  崩壊物
１９  残銑凝固物
２０  ロッド
２１  空洞
２２  持上ジャッキ
２３  羽口
２４  鉄皮側吊具
２５  残銑吊バンド
２６  建設重機
２８  炉内台車用レール
２９  水平移動台
３０  移動用ローラ
３１  ガイドローラ
３２  レベリングブロック
３３  積荷レベル調整用架構
３４  炉体用輸送台車
３５、３６    センターホールジャッキ
３７    支持フレーム
３８    エンドレスチェン
３９    ローラ構造体
４０    スライドシュー
４１    テフロン
４２    ステンレススチール板
４３    底板
４４    レベル調整ライナー
４５    Ｉ型レール
４６    レベリングブロック
【図１】
0003591432.tif 000002
【図２】
0003591432.tif 000003
【図３】
0003591432.tif 000004
【図４】
0003591432.tif 000005
【図５】
0003591432.tif 000006
【図６】
0003591432.tif 000007
【図７】
0003591432.tif 000008
【図８】
0003591432.tif 000009
【図９】
0003591432.tif 000010
【図１０】
0003591432.tif 000011
【図１１】
0003591432.tif 000012
【図１２】
0003591432.tif 000013
【図１３】
0003591432.tif 000014
【図１４】
0003591432.tif 000015
【図１５】
0003591432.tif 000016
【図１６】
0003591432.tif 000017
【図１７】
0003591432.tif 000018
【図１８】
0003591432.tif 000019
【図１９】
0003591432.tif 000020
【図２０】
0003591432.tif 000021
【図２１】
0003591432.tif 000022